Podtech/llm-jp-corpus-v4-ja_patent huggingface dataset:
(57)【要約】      （修正有）【課題】安価であり取り扱い簡単で、作業終了によって患者と従事者に検知しうる装置の開発。これによって患者と従事者の負担軽減を目的とする装置を提供する。【解決手段】点滴液の入った容器をフックに掛け、容器の溶液減少に伴う重量変化で緩衝部に取り付けてある針の上下にセンサーからの変化をデジタル信号で検出する。容器の大きさを先ずセットボタンで選択しておくことによって従来の装置より正確な検出ができる。【選択図】図１
2006043365.tif 000002
【特許請求の範囲】
【請求項１】
容器の重量を検知するセンサーが点滴容器の溶液重量の変化で上下する検出針によって信号をデジタル出力する。
【請求項２】
移動中に起こる急激な荷重変化を吸収する緩衝装置。
【請求項３】
容器の大きさによってプリセットする容器選択機能。
【発明の詳細な説明】
【技術分野】
【０００１】本発明は、医療行為である点滴の終了、従事者への通知をもって作業の負担を軽減できるためのものである。
［背景技術］【０００２】従来、簡易なバネなどを使用して容器の荷重が少なくなると、マイクロスイッチを叩いて検知するものが多く、正確な検出はできなかった。
［発明の開示］
［発明が解決しようとする課題］【０００３】    そのために、次のような問題点があった。
看護士などが点滴を行なう時、従来の方法だと点滴終了間際になるか、まだ終了していないのに点滴終了の通報をしてしまうのかどちらかであった。
本発明は、以上の問題点を解決し、患者および従事者に対する労働負担を軽減せしめるものである。
［課題を解決するための手段］【０００４】ケース本体と、ケース本体を天井や任意の器具から吊るす吊持具と、ケース下方に露出するフックを有しケース内を上下動可能な移動板と、移動板を移動板にかかる重量にあわせて位置を変えてささえる重量制御部材と、移動板の位置を検出するセンサーと、ブザーやＬＥＤ等の通知信号と、センサーからの信号により移動板が任意位置に達した際に前記通知信号を動作させる制御部からなる点滴終了検出通知装置。
［発明の効果］【０００５】装置自体の構成が簡易なため、取り扱いが簡単であり、点滴の終了ならびに終了の通知をすることによって患者と従事者の労働負担が軽減できる。
［発明を実施するための最良の形態］【０００６】以下、本発明の実施の形態について説明する。
（イ）本体（８）に充電した単三乾電池を入れる。
（ロ）本体（８）の表面に付いている点滴容器選択ボタン（５）を押す。
（ハ）点滴容器（６）をフック（７）に掛ける。
（ニ）スタートボタン（９）を押す。
（ホ）終了の信号をセンサー（１）で検出し、終了ランプ（１１）とブザー（１２）で知らせます。
本発明は以上のような構成で、これを使用する場合は、検出スタートボタン（９）を押す前に容器（６）の選択ボタン（５）を押すことで正確な検出ができることである。そして緩衝部（３）がフック（７）に急激にかかる荷重変化を吸収して安定した検出ができるものとした。
【図面の簡単な説明】
【０００７】    ［図１］本発明の斜視図
［図２］本発明の一部を切り欠いた側面図
【符号の説明】
【０００８】  １    センサー
２    針
３    緩衝装置
４    基板
５    容器選択スイッチ
６    点滴容器
７    フック
８    本体
９    スタートボタン
１０  停止ボタン
１１  終了ランプ
１２  ブザー
【図１】
2006043365.tif 000003
【図２】
2006043365.tif 000004
(57)【要約】      （修正有）【課題】ヘアブラシ、ペット用ブラシの様々な形状、大きさを問わず従来の考案よりさらに簡単に装着できフィットしまた、製造面においても低コストを実現できる単純構造のヘアブラシ用抜け毛、埃等付着防止カバー及びその装着方法を提供する。【解決手段】伸縮性、起毛性に優れた素材を用い作られた片面が閉じた筒状のネットをブラシに被せることにより、抜け毛、微細な埃等の付着を防止するヘアブラシ用カバーを提供する。その素材の伸縮性によりどのような形状、大きさのブラシにも万能に使用可能である。また装着方法においてもナイロン等の素材を用いた筒状の袋をまずブラシに被せその上からカバーを被せて装着後に筒状の袋を引き抜くという容易な作業であり、マジックテープ等により接着する必要がなく、見た目にもシンプルで本体ブラシにフィットし違和感なく使用でき低コストを実現できる。【選択図】図３
2006043366.tif 000002
【特許請求の範囲】
【請求項１】
ヘアブラシに付着する埃や抜け毛の防止を目的とした伸縮性、起毛性に優れた素材の筒状のネットを単層、または多層式に用いて作られたブラシカバー。
【請求項２】
ナイロン、プラスチック素材等の袋を用いたヘアブラシカバーの装着方法。
【発明の詳細な説明】
【発明の詳細な説明】
【技術分野】
【０００１】この発明はヘアブラシ本体に付着する抜け毛、微細な埃等を防止することを目的としたブラシカバーである。
【発明の開示】
【従来の技術及び発明が解決しようとする課題】
【０００２】ヘアブラシ使用時に付着する埃やごみ、抜け毛等は見た目にも汚く不潔であり、それを除去しようとしても時間がかかるばかりでなく綺麗に除去することは不可能であった。それを解決するための考案も数多くなされてきたが、過去の考案には以下にあげる不便さ、難点があり現在にいたるまで広く認知利用されたブラシカバーは市場に登場していない。
過去の抜け毛等防止ブラシカバーの考案における難点
イ  繊維その他の素材で作った布、網等で取替え式のブラシカバーを作り、布、網等のブラシ接着面に汚れ吸収用の繊毛をつけ、繊毛がついた面をブラシの針面に通して本体に接して設置し、両端のマジック（登録商標）でとめ固定する。
「特許公開平７−３０３５２６」
というものがあるがブラシの歯を通す面が固定されているということは、様々なブラシの歯の太さ密度の違い、植毛される間隔の不均等性を考えると使用可能なブラシが制限されるということ、またマジックで接着させるということは筒状のブラシには使用不可能であるというように万能に使用できるものではなかった。
ロ  ヘアブラシが出入りできる広さを持たせた二本のバー１にナイロン等の糸２を横方向にびっしりと巻きつけ、あるいは接着してヘアブラシに被せるカバーとし、一方バーの裏面に両面テープを張り、もう一方のバーには糊付きのマジックテープ（登録商標）をセットして使用者が自分のブラシにちょうどよい位置で固定できるようにする。
「特許公開２００４−５７７８２」
というものがあるが装着時にやはりマジックテープや両面テープ鍵形などの止め具等付属品が必要な複雑な構造であり、手先の器用さなどに左右されずに誰もが容易にブラシにフィットするように装着することは難しいのではないがと思われる。
ハ  市場に出回っているものの中にはペーパー式の使い捨てブラシカバーがあるが、これも伸縮性のない素材で作られた固定された大きさのものであり様々なブラシの大きさや形状にフィットさせて使用することは不可能で万能なものではない。
本考案は以上のような難点を解決するためになされたものである。
【課題を解決するための手段】
【０００３】本考案は既存の考案の複雑構造、難点、コスト面での問題をカバーし簡単にヘアブラシペット用ブラシに付着する抜け毛、微細な埃等を防止するブラシカバーである。
以下それを説明する。
【０００４】伸縮性、起毛性に優れた自然繊維、または合成繊維等の素材を用いて作られた筒状のネットを単層または多層式に用いる（図１−１）
【０００５】ブラシの先端部分にあたる側は縫製などにより閉じられた袋状になっている。ブラシの柄側にあたる部分には装着後ぴったりカバーの口がふさがれるように絞り込むゴム等（図１−２）及びゴム止めにあたるビーズ等（図１−３）が付いている。
【０００６】ブラシの歯にひっかからずに簡単に装着させる為に、ナイロンやプラスチック等の素材を使った筒状の袋（図２−４）を用いる。手持ちのブラシに上記筒状の袋を被せその上から伸縮性筒型ネット（図１−１）を被せ装着後内側の筒状の袋を引き抜く。
【発明上の留意点】
【０００７】この考案において特に配慮した点は美容のプロが使うヘアブラシ、一般の家庭で使われているヘアブラシ、ペット用のブラシ、携帯用に用いられる大きさのブラシ、筒状のブラシ、平型のブラシ、放線状のブラシ等多種多様のヘアブラシに万能に使用可能なヘアブラシカバーであること。
【０００８】その装着方法において従来考案されたものよりも易しく、簡単な方法であること。
【０００９】製造にあたってできるだけ複雑な構造でなく、使われる材料、付属品等も少なくシンプルにすることで、製造コストを低くすること。
【発明の効果】
多種多様のヘアブラシを選ばず、どのような形状、大きさのヘアブラシにもフィットし、装着方法もいたって簡単、容易にでき、不潔な抜け毛や埃等を防止し、本体ブラシを清潔に保てるようになった。
【図面の簡単な説明】
【図１】  本発明、伸縮性筒型ネットブラシカバーの斜視図
【図２】  袋を用いた本発明のブラシカバーの装着方法１
【図３】  袋を用いた本発明ブラシカバーの装着方法２
【符号の説明】
１  伸縮性筒型ネットブラシカバー
２  柄側部分絞込みゴム
３  ゴムストッパー
４  装着時使用の袋
【図１】
2006043366.tif 000003
【図２】
2006043366.tif 000004
【図３】
2006043366.tif 000005
(57)【要約】【課題】      磁石付きストラップを有するバッグを提供する。【解決手段】  荷物収納部と、荷物収納部から延びて携帯者の体にまで達して荷物収納部を支えるために有用なストラップと、使用中の携帯者によって支えられるべきストラップの位置に取り付けられた永久磁石とを備えたバックパックやショルダーバッグのようなバッグ。前記永久磁石は、長時間の携帯によって生じる筋肉痛を和らげようとするものである。【選択図】  図１
2006043402.tif 000002
【特許請求の範囲】
【請求項１】
荷物収納部と、
該荷物収納部から延びていて、この荷物収納部を支持するために携帯者の体に達するス
トラップと、
該ストラップの、携帯者の体によって使用中に支えられるべき位置に、取り付けられた
永久磁石と
を備えていることを特徴とするバッグ。
【請求項２】
前記バッグはバックパックであって、前記ストラップは一対のショルダーストラップであり、かつ各ストラップには複数の前記永久磁石が取り付けられていることを特徴とする請求項１記載のバッグ。
【請求項３】
使用中に携帯者の背中に接する荷物収納部に、さらに永久磁石が取り付けられていることを特徴とする請求項２記載のバッグ。
【請求項４】
前記バッグはショルダーバッグであって、前記ストラップはショルダーストラップであり、かつこのショルダーストラップの中間部には複数の前記永久磁石が取り付けられていることを特徴とする請求項１記載のバッグ。
【請求項５】
前記バッグはゴルフバッグであって、前記ストラップはショルダーストラップであり、かつこのショルダーストラップには複数の前記永久磁石が取り付けられていることを特徴とする請求項１記載のバッグ。
【請求項６】
前記ショルダーストラップに沿って位置を変えることのできるショルダーパッドに前記磁石が取り付けられていることを特徴とする請求項４または請求項５記載のバッグ。
【発明の詳細な説明】
【技術分野】
【０００１】
本発明は、ストラップや体と接する他の部分に磁気を帯びた挿入物が入れられたバッグに関するものである。更に詳細には、限定するものではないが、本発明は肩掛けストラップの中に小さな永久磁石が配置されたバックパック、ショルダーバッグ、ゴルフバッグに関するものである。
【背景技術】
【０００２】
重い荷物が詰め込まれたバックパックは、長時間の携帯後に肩や背中の痛みを引き起こす原因となる。同様に、例えば重いショルダーバッグやゴルフバッグも、これを携帯する人の肩を痛める原因となり得る。
【発明の開示】
【発明が解決しようとする課題】
【０００３】
本発明の目的は、バッグのストラップや体と接する他の部分に永久磁石を組み入れることによって上記の痛みを実質上、軽減することにある。
【課題を解決するための手段】
【０００４】
ここで開示されるバッグは、
荷物収納部と、
該荷物収納部から延びていて、この荷物収納部を支持するために携帯者の体の上に達す
るストラップと、
該ストラップに、携帯者の体によって使用中に支えられるべき位置に取り付けられた永
久磁石と
を備えていることを特徴とするものである。
【０００５】
前記バッグはバックパックであって、一対の前記ストラップはショルダーストラップであり、かつ各ストラップには複数の前記永久磁石が取り付けられていてもよい。
【０００６】
使用中に携帯者の背中に接する荷物収納部には、さらに永久磁石が取り付けられていてもよい。
【０００７】
前記バッグは、ショルダーパッグであって、前記ストラップはショルダーストラップであり、かつこのショルダーストラップの中間部には複数の前記永久磁石が取り付けられていてもよい。
【０００８】
あるいは、前記バッグはゴルフバッグであって、前記ストラップはショルダーストラップであり、かつこのショルダーストラップには複数の前記永久磁石が取り付けられていてもよい。
【０００９】
前記ショルダーストラップに沿って位置を変えることのできるショルダーパッドに前記磁石が取り付けられていてもよい。
【発明を実施するための最良の形態】
【００１０】
添付図面の図１中には、重い荷物が収納される可能性のある荷物収納部１１を有するバックパック１０が図式的に表されている。このバックパック１０は、荷物収納部１１の上部から反対側の底部に向かって延びる一対のショルダーストラップ１２を有する。各ショルダーストラップ１２が肩に接する部分と荷物収納部１１が背中に接する上部部分とには、列をなした永久磁石１３が設けられている。この磁石は、数列の磁石13からなる配列となっている。この磁石は、例えば接着剤や縫着によって固定することができ、あるいは表面材の下に置くこともできる。この永久磁石は、所定の位置への縫着が簡単にできるように複数の透孔を有するボタンのように形成してもよい。
【００１１】
添付された図２には、荷物収納部１１と１本のショルダーストラップ１２からなるショルダーバッグ２０が図式的に表されているが、ショルダーストラップ１２には永久磁石１３が取り付けられたショルダーパッド１４が挿通されている。このショルダーパッド１４は、ショルダーストラップ12に沿ってスライドさせることによってその位置を変えることができる。また、この永久磁石13も数列からなる配列とされている。
【００１２】
添付された図３には、バッグの上部から底部にまで延びたショルダーストラップ１２を有するゴルフバッグ３０が図式的に表されている。数列の永久磁石１３を備えた移動可能なパッド１４を有する。
【００１３】
使用に際しては、このバッグはよく知られた一般的なやり方で携帯されるが、永久磁石によって生じる磁場はバッグを支える人体の一部に達する。この磁場は、健康維持に寄与すると信じられ、そして特にバッグを支える人体部分の表面下の血行を促すかなりの効果を有していると信じられている。
【００１４】
当業者に自明の修正や変更は、本発明の範囲内にあると評価されるべきである。たとえば、ボタンのような永久磁石を使用するかわりに、冷蔵庫の扉のシールやフレキシブルな冷蔵庫のステッカーにおける永久磁石ゴム片などのように、フレキシブルな平たい磁石を使用することもできる。
【図面の簡単な説明】
【００１５】
【図１】ショルダーストラップと荷物収納部の背中上部に接する表面とに永久磁石を取り付けたバックパックを図式的に表した斜視図である。
【図２】ストラップに沿って位置を変えられるパッドの中に永久磁石を入れたショルダーバッグを図式的に表した斜視図である。
【図３】ショルダーストラップに沿って位置を変えられるパッドの中に永久磁石を固定したゴルフバッグを図式的に表した斜視図である。
【図１】
2006043402.tif 000003
【図２】
2006043402.tif 000004
【図３】
2006043402.tif 000005
(57)【要約】【課題】  パソコンデスク前面壁に、スライド枠を取り付けて、スライド書類挟み板を提供する。【解決手段】  スライド枠をパソコンデスク前面壁に取り付け、回転軸付き板に書類をクリプで留め、板を片手で書類ごと持ち、回転軸の軸の部分でスライド枠の中を、スライドさせる事を特徴とするスライド書類挟み板である。【選択図】  図１
2006043411.tif 000002
【特許請求の範囲】
【請求項１】
パソコンデスク前面壁にスライド枠を取り付け、回転軸付き板の回転軸の軸の部分をスライド枠の中をスライドさせ、パソコン画面斜め横に、画面と平行に書類を移動させる事を特徴とするスライド書類挟み板。
【発明の詳細な説明】
【技術分野】
【０００１】  本発明は、スライド書類挟み板
【背景技術】
【０００２】  従来、パソコンデスク等前面の壁に書類挟み等があった。
【発明の開示】
【発明が解決しようとする課題】
【０００３】  そのために、次のような問題があった。
（イ）ファクス等で送られてきた書類など閲覧しながら、パソコンに入力するとき、画面を見る目の距離と書類を見る目の距離とが等しくなく、一定でないため不便な姿勢を繰り返し時間を要した。
（ロ）長時間パソコン画面を見るため、目の疲れがあり過ぎるため、目のピント位置を合わすのに時間を要した。
本発明は、これらの問題を解決するためのものである。
【課題を解決するための手段】
【０００４】  パソコンデスク前面の壁にスライド枠を取り付け、スライド書類挟み板にクリップで書類を挟み、回転軸の軸の部分を使ってスライド枠の中を左右にスライドして、書類を見よい位置に動かす。
以上を特徴とするスライド書類挟み板である。
【発明の効果】
【０００５】  パソコン画面を見ながら書類閲覧するときに、片手で書類位置を画面と平行に成るようにスライドさせ、画面を見る姿勢角度を平行移動させる事で、書類と画面の目のピント位置を合わせやすくした。パソコン操作がス−ムスに進み、入力時間を短くし、入力能率を上げ、目の疲れを抑えより多くの創作時間を得るようにした。
【発明を実施するための最良の形態】
【０００６】以下、本発明の実施の形態について説明する。
（イ）（１）スライド枠の裏に（７）マジックテ−プで（６）パソコンデスク前面壁に取り付ける、（１）スライド枠の中を（２）回転軸付き板の回転軸の（９）軸の部分を、（１０）軸穴ガイドを使ってスライドさせる。
（ロ）（４）書類を（３）クリップで（２）回転軸付き板に取り付け利用する。
（ハ）机上の（５）パソコン画面斜め横に（４）書類を（２）回転軸付き板を使いスライド枠中を回転軸の軸の部分を左右に平行移動させる。
（ニ）（２）回転軸付き板の板部分に留められた（４）書類を、板ごと左右にスライドさせ、パソコン画面斜め横に平行移動させる事の出来るスライド書類挟み板。
【図面の簡単な説明】
【０００７】
【図１】本発明の使用説明図
【図２】本発明の正面図
【図３】本発明の平面図
【図４】本発明の部分正面図
【図５】本発明の部分平面図
【図６】本発明の部分断面図
【符号の説明】
【０００８】１スライド枠
２回転軸付き板
３クリップ
４書類
５パソコン画面
６パソコンデスク
７マジックテ−プ
９軸
１０軸穴ガイド
１１Ｒロックピン
１２回転板
１３ワッシャ−
１４Ｒロックピン穴
【図１】
2006043411.tif 000003
【図２】
2006043411.tif 000004
【図３】
2006043411.tif 000005
【図４】
2006043411.tif 000006
【図５】
2006043411.tif 000007
【図６】
2006043411.tif 000008
(57)【要約】【課題】  塗装の準備工程で、被塗物の非塗装部分に施すマスキングの方法は、従来、主に紙製、プラスチック製のシートを紙テープ等で固定し、余分な長さを調整したりしながら時間をかけて行っていた。又作業終了後の後かたづけでは多量の廃棄物が発生して、この廃棄物の処理も大変であった。【解決手段】泡状マスカーはこれらの工程を省略し、ただ細かい泡状液体を被塗物に塗布するだけであるため作業時間を大いに短縮できる。そして被塗物に塗料を塗布後、泡状マスカーの回収は乾湿両用集塵機によって行う。このことにより多量の廃棄物を排出してきたこの作業は、ほとんど廃棄物をださないことになり、環境対策に大いに貢献することになる。【選択図】図３
2006043676.tif 000002
【特許請求の範囲】
【請求項１】
塗装の準備工程で、被塗物の非塗装部分に施すマスキングに、泡状液体を使用する。
【請求項２】
本発明の被塗物からの回収作業は、乾湿両用集塵機により吸い込むことにより行い、このことにより廃棄物はほとんどでない。
【発明の詳細な説明】
【技術分野】
【０００１】本発明は塗装の準備工程であるマスキングの簡略化と、その工程において最終的にでる廃棄物をほとんど無くし、環境対策にも貢献しようとするものである。
【技術背景】
【０００２】塗料を塗布するとき、従来のマスキングの方法は主に紙製およびプラスチック製のシートを紙テープ等で固定し、余分な長さを調整するなどし時間をかけて行ってきた。
【０００３】泡状マスカーはこれらの工程を省略し、ただ細かい泡にした液体を塗布するだけである。
【０００４】泡状マスカーを吹き付ける方法としては、従来よく実施されている液体原料となる界面活性剤を容器に入れそれをハンドスプレーガン等で、被塗物に吹き付ければできあがる。
【０００５】泡の粘度は原料となる液体の粘度、又は界面活性剤の量によってことなるが、塗装時の環境、風圧をうける、うけないかにより、その粘度を調整し、使い分けするほうが作業性がよくなります。
【０００６】風圧をうけない場合は、ひげ剃り用のシェービングクリームにちかい粘度の泡にし、被塗物の非塗装面を薄く覆います。
【０００７】風圧をうける場合は、モリアオガエルの卵をつつむ泡にちかい状態の粘度にします。
【０００８】被塗物に塗料を塗布後、泡状マスカーの回収は機械を使用するのであれば、乾湿両用集塵機にて吸い込ませて行い、手作業で行うのであれば、吸い込み性のよい布地にてふきあげることになります。
【０００９】この際、作業性は泡状マスカーの粘度が低ければ低いほど、作業性はよくなります。
【００１０】このように作業終了後、そこには従来の方法とは違い、廃棄物がほとんど存在しません。
【特許文献１】特許公開２００３−４１２０４号公報
【特許文献２】特許公開平１０−２４９２５４号公報
【特許文献３】特許公開平５−１２３６３６号公報
【発明の開示】
【発明が解決しようとする課題】
【００１１】特許文献１、特許文献２、特許文献３にある従来のマスカーは固形物のため、被塗物の非塗装面へ形状を調整することがたいへんであった。【００１２】特許文献１、特許文献２、特許文献３にある従来のマスカーは固形物のため、多量の廃棄物となり、環境上も好ましくなかった。
【課題を解決しようとする手段】
【００１３】マスカーを泡状の液体にすることにより、被塗物の非塗装面に馴染みやすくなり、簡単に覆うことができる。
【００１４】マスカーを泡状にすることにより、泡の中に紛れ込んだ塗料ミスト、塗料カスといっしょに乾湿両用集塵機により吸い込むことができ、後には廃棄物が一切残らない。
【発明の効果】
【００１５】上述したように、塗装工程のマスキングの際、手間、暇がかからなくなった。
【００１６】マスキング後の後かたづけの際、廃棄物がなく、環境対策に大いに貢献することとなる。
【発明の実施するための最良の形態】
以下、本発明の実施の形態を図１〜図４に基づいて説明する。
【００１７】図１において１、はこれから塗装をしようとする被塗物（２）は塗装面、（３）は非塗装面である。
【００１８】図２においては（３）の上にハンドスプレーガンにより５、の泡状マスカーを塗布した状態である。このとき（６）のボカシ領域を必ず設ける。
【００１９】図３においては（２）に４、の塗装を施し、（６）のボカシ領域を設けて、終了した状態である。
【００２０】図４においてはボカシ領域を設けないで塗装を施した状態であるが、この場合は塗装域との境には、従来どおり７、のマスキングテープで仕切ることとする。
【図面の簡単な説明】
【００２１】
【図１】被塗物の立面図
【図２】被塗物に泡状マスカーを塗布したときの立面図
【図３】被塗物に塗装を施したときの立面図と平面図
【図４】被塗物にマスキングテープを使用して塗装したときの立面図
【符号の説明】
１、被塗物
（２）塗装面
（３）非塗装面
４、塗膜
５、泡状マスカー
（６）ボカシ領域
７、マスキングテープ
【図１】
2006043676.tif 000003
【図２】
2006043676.tif 000004
【図３】
2006043676.tif 000005
【図４】
2006043676.tif 000006
(57)【要約】【課題】  ディスポーザ内及びトラップ内の空気を排気することにより、排水を速やかに行う。【解決手段】  流し台シンクの排水口に取り付けられ、厨芥ごみ等の生ごみをモータにより回転される破砕歯がある破砕室で粉砕して排出するディスポーザにおいて、該ディスポーザ本体と排水トラップを接続する吐出配管の途中に、ディスポーザ内及びトラップ内の空気を排気する排気弁を設けるようにした。また、排気弁付き吐出配管の排気弁の空気排気口を、口径１０mm以下の小口径とすることにより、従来品の騒音値と同等またはそれ以下とする。さらに、排気弁付き吐出配管をディスポーザ配管専用に設けられる掃除口の専用キャップと一体化して、使用しやすいようにしている。【選択図】  図１
2006043638.tif 000002
【特許請求の範囲】
【請求項１】
流し台シンクの排水口に取り付けられ、厨芥ごみ等の生ごみをモータにより回転される破砕歯がある破砕室で粉砕して排出するディスポーザにおいて、該ディスポーザ本体と排水トラップを接続する吐出配管中に、ディスポーザ内及びトラップ内の空気を排気する排気弁を設けたことを特徴とするディスポーザ用排気弁付き吐出配管。
【請求項２】
前記排気弁付き吐出配管の排気弁の空気排気口を、口径１０mm以下の小口径とすることを特徴とする、請求項１に記載のディスポーザ用排気弁付き吐出配管。
【請求項３】
前記排気弁付き吐出配管をディスポーザ配管専用に設けられる掃除口の専用キャップと一体化したことを特徴とする、請求項１に記載のディスポーザ用排気弁付き吐出配管。
【請求項４】
前記排気弁内には弁体として水の比重より軽いフロートまたはボールを挿入し、通常は排気弁が開口され、水位の上昇に伴い、弁体により排気弁を閉口し漏水を防ぐことを特徴とする、請求項１に記載のディスポーザ用排気弁付き吐出配管。
【発明の詳細な説明】
【背景技術】
【０００１】
流し台シンクの下に取り付けられるディスポーザは、一定量の給水により厨芥を破砕し、トラップを経て専用の排水配管に流下する。排水配管用の掃除口は、トラップの前後に設けられており、ドレン兼用掃除口はあるが、この箇所に排気弁を取り付け，又はこれと一体形にした掃除口は存在しない。
【発明の開示】
【発明が解決しようとする課題】
【０００２】
従来型のディスポーザにより厨芥を破砕する際、シンクの排水口はディスポーザの蓋により水膜を張ることで、ディスポーザの運転音を遮音している。そのため、空気の抜けるところがなくディスポーザ内の空気がトラップに押し込められ、この空気が厨芥破砕物及び排水の流下の抵抗となり、スムーズな排水を妨げていた。また、ディスポーザ運転時に排水性能が悪化するため、シンク表面に水があふれ、ディスポーザ使用の際の正しい給水量が守られない。さらに、ディスポーザ運転時に排水がスムーズに行われないと、厨芥破砕物の搬送に必要な流速を得ることができない等の課題があった。
【０００３】
このような課題を解決するために、次のような手段が用いられたが、別の問題が生じた。
（ア）制的にディスポーザ内の空気を抜くために、ディスポーザに使用される安全蓋の開口を大きくすると、ディスポーザ運転時の破砕音が大きくなる。
（イ）ディスポーザ本体及びそれに接続するトラップに排気弁を取り付けると、容易に取り外す事が難しく、メンテナンスを行うことが難しい。
【課題を解決するための手段】
【０００４】
そこでこの発明は、流し台シンクの排水口に取り付けられ、厨芥ごみ等の生ごみをモータにより回転される破砕歯がある破砕室で粉砕して排出するディスポーザにおいて、該ディスポーザ本体と排水トラップを接続する吐出配管の途中に、ディスポーザ内及びトラップ内の空気を排気する排気弁を設けるようにしたものである。このように構成されたディスポーザ用排気弁付き吐出配管は、ディスポーザ内及びトラップ内の空気を排気することにより、排水を速やかに行うことが可能となる。
【０００５】
またこの発明は、上記のディスポーザ用排気弁付き吐出配管の排気弁開口径を１０mm以下の小口径とすることにより、周囲へディスポーザ運転音の漏れを極力遮断するようにしている。さらにこの発明のディスポーザ用排気弁付き吐出配管は、ディスポーザ配管専用に設けられている掃除口の専用キャップと排気弁を一体化することにより、メンテナンスを容易に行うことができる。
【発明の効果】
【０００６】
この発明は以上のように構成したので、次のような効果を奏する。
（１）ディスポーザに必要量、水を供給する事ができる。
（２）シンク内の水を速やかに排水することができる。
（３）排気弁のメンテナンスを容易に実施する事が可能である。
【実施例】
【０００７】
図１に、この発明の排気弁付き吐出配管を設けたディスポーザの側面を示す。流し台シンク１の底面に取り付けられたディスポーザ２は、破砕室３内の回転歯をモータ４により駆動し、流し台１の排水口から送られる厨芥ごみ等の生ごみを破砕し、吐出配管５、トラップ６を通し、排水本管へ流下させる。この発明の吐出配管５はトラップ６へ向かう方向と逆の垂直上方向に枝管を設け、その上端部に排気弁を取り付けたキャップ７を被せてある。
【０００８】
キャップ７はディスポーザの排水配管を洗浄するための掃除口を兼用している。キャップ７に設けられている排気弁は、周囲へディスポーザ運転音の漏れを極力遮断するために、小口径のものが求められる。騒音試験の結果、口径が１０ｍｍを越えるものについては、騒音値が排気口が無い従来品より上昇し、１０ｍｍ以下では従来品の騒音値と同等またはそれ以下となった。そこでこの発明では、吐出配管及びキャップ７の排気弁開口径を１０mm以下の小口径とすることにしている。
【０００９】
図２に、この発明の排気弁付き吐出配管の一例を示す。排気弁８内には弁体として水の比重より軽いボール９またはフロート１０が挿入される。通常は排気弁が開口されているが、水位の上昇に伴い、弁体により排気弁を閉口し漏水を防ぐ。この発明のディスポーザ用排気弁付き吐出配管と比較するため、従来のディスポーザ用吐出配管の実施一例を、図３に示す。
【産業上の利用可能性】
【００１０】
この発明は、台所の流し台等において、厨芥処理を行うためのディスポーザに関する。
【図面の簡単な説明】
【００１１】
【図１】この発明の排気弁付き吐出配管を設けたディスポーザの側面を示す。
【図２】この発明の排気弁付き吐出配管の一例を示す。
【図３】従来のディスポーザ用吐出配管の実施一例を示す
【符号の説明】
【００１２】
１  流し台シンク
２  ディスポーザ
３  破砕室
４  モータ
５  吐出配管
６  トラップ
７  キャップ
８  排気弁
９  ボール
10  フロート
11  吐出配管
12  掃除口
【図１】
2006043638.tif 000003
【図２】
2006043638.tif 000004
【図３】
2006043638.tif 000005
(57)【要約】【課題】    本発明は、遠赤セラミックと抗菌セラミックを使用し、水又はお湯を殺菌する装置である。【解決手段】  本発明は、ステンレス本体１の内部を穴のあいたパンチング板８で二段に分け、それぞれに遠赤セラミック２と抗菌セラミック３を入れる。水又はお湯の流れは、流入口５より入り、遠赤セラミック２と抗菌セラミック３に触れながら、流出口６にいたる。【選択図】  図１
2006043667.tif 000002
【特許請求の範囲】
【請求項１】
ステンレスタンクの内部をパンチング板で二段に分け、それぞれに遠赤セラミックと抗菌セラミックを入れ、水またはお湯が通過する事で殺菌できる装置。
【発明の詳細な説明】
【技術分野】
【０００１】本発明は、筒状のステンレスタンクの内部をパンチング板で二段に分け、二種類のセラミックを入れた殺菌装置に関するものである。
【背景技術】
【０００２】水道水又は、地下水を大量に使用するプール又は、浴場などの施設は、オゾン殺菌・塩素殺菌等を使用しているが、それぞれ経費、メンテナンスに問題がある。
【発明の開示】
【発明が解決しようとする課題】
【０００３】本発明以外の殺菌装置は、それを設置する施設にとって経済的負担が大きく、又メンテナンス費用も多大になります。したがって、遠赤セラミックと抗菌セラミックを使用しステンレスタンクの内部をパンチング板で二段にして、水又はお湯を殺菌することの出来る装置として、設置する側の経済的負担を軽くし、メンテナンスも簡単で低コストにすることにより、前述の欠点を解決するものである。
【課題を解決するための課題】
【０００４】本装置は、動力・電力を使用せず水圧だけで流れを作り遠赤セラミックと抗菌セラミックに接することで、殺菌効果が得られるようにした簡単な装置であり、耐久性にも優れ、取付け・メンテナンスも簡単な装置である。
【発明の効果】
【０００５】上述のように本発明の殺菌装置は、水又はお湯を殺菌するにあたり、装置内部をパンチング板で二段に分け遠赤セラミックと抗菌セラミックを入れ、自然水圧により内部を通過させ、十分に接触させることで効果を上げることが出来る。
【発明を実施するための最良の形態】
【０００６】本装置の下部の流入口より、水又はお湯が入り小さな穴のあいたパンチング板を通過し、遠赤セラミックに接触、次に穴のあいたパンチング板で分割された抗菌セラミックに接触して、上部の流出口より流れるようにする。
【実施例】
【０００７】以下の添付図面に従って、実施例を説明する。
ステンレスで作られた本体１の下部５流入口より入った水又はお湯は、８穴のあいたパンチング板を通過し２遠赤セラミックに接触する。次に８穴のあいたパンチング板を通過し、上部の３抗菌セラミックに接触して６流出口より出るようにする。又、上部抗菌セラミックの点検のため４フランジング二枚付け７ボルトで取り外しが出来るようにするものである。
【図面の簡単な説明】
【０００８】
【図１】殺菌装置の断面図である。
【図２】パンチング板の平面図である。
【符号の説明】
【０００９】１  殺菌装置本体
２  遠赤セラミック
３  抗菌セラミック
４  フランジング
５  流入口
６  流出口
７  ボルト
８  パンチング板
【図１】
2006043667.tif 000003
【図２】
2006043667.tif 000004
(57)【要約】      （修正有）【課題】移動食品、汚泥廃棄物処理機の固定設置台です。【解決手段】移動食品、汚泥廃棄物の処理機を車より降ろし設置する設置台です。この設置台を置く事により、廃棄物の処理能力が向上する。【選択図】図１
2006043662.tif 000002
【特許請求の範囲】
【請求項１】
本発明は、移動取り外し式食品、汚泥廃棄物処理機の固定設置台です。符号１、６は固定台です、符号１１、１２、１３、１４、は移動式処理機の本体です。符号２はコントロールＢＯＸです。符号４はモーター設置台です。符号４はモーターで５は主軸シャフトです。符号７、８、は歯車です。符号９はドラム回転ローラーです。符号１０、は取り出し口です。以上のように簡単に処理機本体を固定でき稼動させることが出来ます。移動処理機の設置は符号１１の回転シャフトを固定するのみです。
【発明の詳細な説明】
【技術分野】
【０００１】本発明は、トラックに食品、汚泥廃棄物処理機を乗せて現場に移動し、その場で廃棄物を投入し、素早くコンポスト化をする処理機を作業場に戻り、トラックより処理機を降ろし、処理機固定設置台にに固定し再び稼動出来る固定設置台です。
［背景技術］【０００２】従来、食品、汚泥廃棄物はすべて処理場に運び、処理してる。本発明は処理機を車に積み移動しながら廃棄物を集めコンポスト化し、処理機が適量はいた時点で帰り車より処理機を降ろし固定台に設置する。このような処理機の設置大はない。
［発明の開示］
［発明が解決しようとする課題］【０００３】そのために、次のような問題点があった。
廃棄物処理には、その場で素早く処理出来る処理機はなく、移動ゴミ収集車で収集してる。
移動式の処理機であるため悪臭の心配もなく、処理機も積み降ろしも簡単で固定台に設置するのみで再度稼動する。
［課題を解決するための手段］【０００４】移動式処理機がスムーズに稼動するように鉄骨で、設置台を作り、固定台は動かない用にかためる。
鉄骨の左右の主軸回転の鉄骨を立て、処理機の主軸が固定回転できるようにした。
［発明の効果］【０００５】移動式処理機の交換が早くなり、連続して処理ができ、廃棄物の処理能力も短縮した。
［発明を実施するための最良の形態］【０００６】本発明の実施の形態について説明する。
符号１、は鉄骨で処理機に合わせて大小作り、符号６は重さに対応出来る、鉄骨を左右に立て、モーター、コントロールＢＯＸ等をつける。符号１は平らな鉄骨出作り中程に取り出し穴をあけてある。
【図面の簡単な説明】
【０００７】［図１］断面図
【符号の説明】
【０００８】  １    鉄骨枠組み台
２    コントロールＢＯＸ
３    モーター受け台
４    モーター
５    主軸
６    処理機受け台
７    歯車
８    歯車
９    回転ローラ
１０    取り出し口
１１    主軸回転シャフト
１２    処理機本体外装
１３    本体回転ドラム
１４    本体回転シャフト歯車
【図１】
2006043662.tif 000003
(57)【要約】【課題】  いつも身近にあるボールペンや万年筆などの筆記具にランドルト環を印字し、それを凝視したり、遠ざけたり近づけたり、回転したりすることにより何時でも手軽に視力回復トレーニングと視力維持ができる訓練器具を提供することを目的とする。【解決手段】  筆記具１にランドルト環３を印字し、その上に装着した回転リング４を回してその覗き穴５からランドルト環３を順に読み取れるようにし、そして前記ランドルト環３を筆記具１のキャップ２の周回りに大から小へと順に複数個印字した。【選択図】  図１
2006122470.tif 000002
【特許請求の範囲】
【請求項１】
筆記具（１）にランドルト環（３）を印字し、その上に装着した回転リング（４）を回してその覗き穴（５）からランドルト環（３）を順に読み取れるようにした視力回復訓練器。
【請求項２】
前記ランドルト環（３）は、筆記具（１）のキャップ（２）の周回りに大から小へと順に複数個印字したものである請求項１記載の視力回復訓練具。
【発明の詳細な説明】
【技術分野】
【０００１】
本発明は、視力の回復と維持を目的とし、携帯できるもの、例えば万年筆など筆記具にランドルト環を印字した視力回復訓練具に関する。
【背景技術】
【０００２】
最近、パソコンやテレビゲームなどが目覚しく普及し、低学年から視力低下している学童が多く見られ学習面でも影響を受けている。また勉強や仕事などで目が疲れたり眼精疲労などで悩んでいる人が増えて身近で手軽な視力回復訓練器が望まれようになってきた。
【０００３】
近視、遠視、老眼、眼精疲労などは眼球内の毛様体筋が緊張状態に置かれ硬くなり柔軟性を失ってしまっているのが原因と言われている。その為に視力回復や維持及び目のトラブルを予防する方法として眼筋のトレーニングや遠近ストレッチを行い毛様体筋の弾力性を高めることにより毛様体筋の柔軟性を増大させる事ができる。
【０００４】
かかる視力回復や維持のトレーニング方法としてディスプレイ装置と組み合わせた訓練装置や筆記具に印字したランドルト環のＣマークを遠ざけたり、近づけたりして毛様体筋を強制的に伸縮運動させる用具もある。またランドルト環を爪などに描いて同様に遠ざけたり、近づけたりして訓練を繰り返す方法などもある。
【０００５】
特許文献１のような筆記具に印字したランドルト環を見つめるものでも全てのランドルト環が見えるので何れか１個に集中して凝視することが出来ないという問題があった。また視力回復トレーニングは毎日、数回続ける事が大事であり、従来の大掛かりな訓練装置では何時でも、何処でも、手軽に視力回復訓練をすることは無理であった。
【特許文献１】実用新案登録第２５１１７２３号
【特許文献２】特開２００３―２５１９０５号
【特許文献３】特開２００３―３２５６０６号
【発明の開示】
【発明が解決しようとする課題】
【０００６】
本発明は、いつも身近にあるボールペンや万年筆などの筆記具にランドルト環を印字し、それを凝視したり、遠ざけたり近づけたり、回転したりすることにより何時でも手軽に視力回復トレーニングと視力維持ができる訓練器具を提供することを目的とする。
【課題を解決するための手段】
【０００７】
本発明の視力回復訓練器は、筆記具１にランドルト環３を印字し、その上に装着した回転リング４を回してその覗き穴５からランドルト環３を順に読み取れるようにし、そして前記ランドルト環３を筆記具１のキャップ２の周回りに大から小へと順に複数個印字したことを特徴としている。
【発明の効果】
【０００８】
いつも身近にある万年筆やボールペンなど筆記具と組み合わせる事でいつも身に付けて携帯でき、手軽に視力回復訓練ができる。また筆記具にランドルト環を印字し、その上に回転自在なリングを付けるだけなので価格的にも安く提供できる。さらに前記リングは筆記具のキャップに取り付けたものであるので筆記するときでも邪魔にならない。またリングの覗き穴からランドルト環を覗くようにしたので自分の視力にあった１個のランドルト環のみを集中して凝視が出来、訓練効果が上がる等の効果がある。
【発明を実施するための最良の形態】
【０００９】
本発明は、万年筆やボールペンなど筆記具のキャツプに複数個のランドルト環をやや間隔を空けて周回りに印字し、その上に装着した回転リングを回してその覗き穴からランドルト環を順に読み取れるようにしたものである。
【実施例１】
【００１０】
図１は本発明の視力回復訓練具の正面図である。図２は回転リングの回転部分と覗き穴およびランドルト環の拡大図である。図３はランドルト環の展開図である。
【００１１】
本発明は、万年筆やボールペンなど筆記具１のキャツプ２の略中央の周回りに大小５種類のランドルト環３をやや間隔を空けて印字し、その上に装着した回転リング４を回してその覗き穴５からランドルト環３を順に読み取れるようにしたものである。
【００１２】
使用する場合は、筆記具１を握って手を伸ばし回転リング４を回し自分の視力に合ったランドルト環３を覗き穴５から探し五秒から十秒間集中して見る。次に遠くに視点を合わせ約五秒から十秒間見つめる。これを繰り返し行い遠近トレーニングをする。さらに目の前に引き寄せたり、上下左右に移動したり回転させたりして眼球の遠近ストレッチ、または動くランドルト環を目で追う運動を繰り返す事で眼筋の収縮性を高めて視力の回復と維持を図るようにした。
【００１３】
また良く見えるようになったらリングを回してランドルト環を小さいものへ切り替えることができるので回復効果が自分でもよくわかる。そして常に携帯でき、何時でも、何処でも、１日何回でも、手軽にトレーニングが可能で視力回復と視力の維持が出来る。
【図面の簡単な説明】
【００１４】
【図１】本発明、視力回復訓練具の正面図である。
【図２】図１の要部拡大図である。
【図３】ランドルト環の展開図である。
【符号の説明】
【００１５】
１  筆記具
２  キャツプ
３  ランドルト環
４  回転リング
５  覗き穴
【図１】
2006122470.tif 000003
【図２】
2006122470.tif 000004
【図３】
2006122470.tif 000005
(57)【要約】【課題】ゴルフボールの打球方向の安定性を向上させると共に飛距離を延ばす。【解決手段】軸部２と、この軸部の上端部に設けられゴルフボール４を載置する頭部６を有するゴルフティーにおいて、前記頭部に切り欠き部６ａを設けた。【選択図】図３
2006122424.tif 000002
【特許請求の範囲】
【請求項１】
軸部と、この軸部の上端部に設けられてゴルフボールを支持する頭部を備えるゴルフティーにおいて、前記頭部に切り欠き部を設けたことを特徴とするゴルフティー。
【請求項２】
前記切り欠き部は前記頭部の中心に対して対称に２個設けられていることを特徴とする請求項１記載のゴルフティー。
【請求項３】
前記切り欠き部の輪郭は楕円形の一部であることを特徴とする請求項１または２記載のゴルフティー。
【発明の詳細な説明】
【技術分野】
【０００１】
本発明はゴルフティーに係り、特にゴルフクラブとの衝突を抑制できると共に飛距離を向上することができるゴルフティーに関する。
【背景技術】
【０００２】
図４および図５に示すように軸部２と、この軸部２の上端部に設けられてゴルフボール４を支持する円形の頭部６とを備えるゴルフティーは従来から用いられている。頭部６にはゴルフボール４を支持するための凹部を形成されている。このゴルフティーは木製、プラスティック製、ゴム製等種々のものが用いられている。
【発明の開示】
【発明が解決しようとする課題】
【０００３】
このようなゴルフティーを用いた場合、ショットの際、ゴルフボール４とゴルフティー頭部６の間の摩擦抵抗により、打球方向の安定性に欠けると共に飛距離が延びないという問題があった。
【０００４】
また、ゴルフクラブがゴルフティーの頭部６の上部６Ａ，６Ｂに衝突して該上部６Ａ，６Ｂが磨耗または破損してしまう、あるいは衝突の際にゴルフクラブが受ける抵抗によりゴルフボール４の飛距離が延びないという問題があった。なお、図５中Ａは打球方向である。
【０００５】
また、頭部６が円形であるため、ゴルフティーをテーブル上に置いた時など、転がりやすく、紛失することもある。
【課題を解決するための手段】
【０００６】
上記問題点を解決するため請求項1記載の本発明によれば、軸部と、この軸部の上端部に設けられてゴルフボールを支持する頭部を備えるゴルフティーにおいて、前記頭部に切り欠き部を設けたことを特徴とするゴルフティーが提供される。
【０００７】
請求項２記載の発明によれば前記切り欠き部は前記頭部の中心に対して対称に２個設けられていることを特徴とする請求項１記載のゴルフティーが提供される。
請求項３に記載の発明によれば前記切り欠き部の輪郭が楕円形の一部であることを特徴とする請求項１または２記載のゴルフティーが提供される。
【発明の効果】
【０００８】
本発明のゴルフティーは、頭部に切り欠き部を設けたので、その切り欠き部が打球方向に位置するようにゴルフティーを設置することにより、ゴルフボールとゴルフティー頭部の間の摩擦が減少し、打球方向が安定すると共に飛距離が延びる。また、切り欠き部を打球方向と反対側に位置するようにゴルフティーを設置することにより、ゴルフクラブがゴルフティーの頭部の上部に衝突することによるゴルフティーの磨耗または破損を少なくすることができると共に飛距離を延ばすことができる。
また、頭部に切り欠き部を設けたことにより、テーブル上に置いた時など、転がらず、紛失もしない。
【０００９】
前記切り欠き部を前記頭部の中心に対して対称に２個設け、一方の切り欠き部を打球方向に位置するようにゴルフティーを設置すると、切り欠き部を１個だけ設けその切り欠き部が打球方向に位置するようにゴルフティーを設置する場合よりも、ゴルフクラブがゴルフティーの頭部の上部に衝突することによるゴルフティーの磨耗または破損を少なくすることができると共に更に飛距離を延ばすことができる。
【実施例】
【００１０】
以下、図面に基づいて本発明によるゴルフティーの実施例を説明する。
この実施例のゴルフティーは図1、図３に示すように先端が細くされて地面に突き刺すことができるようにされた軸部２と、この軸部２の上端部に設けられてゴルフボール４を支持する頭部６とが一体に形成されている。図２に示すように頭部６にはその中心６ｃに対して対称に２個の切り欠き部６ａ，６ａが設けられている。この切り欠き部６ａの輪郭は好ましくは楕円形の一部であるが、円形の一部あるいは三角形の一部であってもよい。
【００１１】
上記実施例のゴルフティーの使用に際しては２個の切り欠き部６ａ，６ａのいずれか一方が打球方向（図２のＡ方向）に位置するようにゴルフティーの軸部２を地面に突き刺す。
【００１２】
上記実施例では切り欠き部６ａ，６ａを２個設けた例を示したが、１個だけとすることもできる。
また、上記実施例においては、先端が細くされて地面に突き刺すことができるようにされた軸部２と、この軸部２の上端部に設けられてゴルフボール４を支持する頭部６とが一体に形成されているゴルフティーについて説明したが、本発明はこれには限定されず、軸部と、この軸部の上端部に設けられてゴルフボールを支持する頭部を備えるゴルフティーであればどのようなものにでも適用可能である。
【図面の簡単な説明】
【００１３】
【図１】本発明によるゴルフティーの一実施例の正面図である。
【図２】本発明によるゴルフティーの一実施例の平面図である。
【図３】本発明によるゴルフティーの一実施例の斜視図である。
【図４】従来例によるゴルフティーの正面図である。
【図５】従来例によるゴルフティーの平面図である。
【符号の説明】
【００１４】
２  軸部
４  ゴルフボール
６  頭部
６ａ  切り欠き部
６ｃ  頭部の中心
【図１】
2006122424.tif 000003
【図２】
2006122424.tif 000004
【図３】
2006122424.tif 000005
【図４】
2006122424.tif 000006
【図５】
2006122424.tif 000007